(57)【特許請求の範囲】
【請求項１】
紙箱を受容するディスペンサーであって、
右側面部と、
左側面部と、
前記左側面部の下端と前記右側面部の下端とを連結する底面部と、を備え、
前記左側面部と前記右側面部と前記底面部とが受容空間を形成し、前記左側面部と前記右側面部とに挟まれた幅方向における前記底面部の長さが前記受容空間に挿入されていない状態の前記紙箱の長さより短く、前記受容空間を形成する前記左側面部と前記右側面部の各面が全体的に平坦面とされており、
前記左側面部と前記右側面部と前記底面部とが可撓性材料で形成され、
前記左側面部及び前記右側面部が、前記底面部に対し、９４度以下の鈍角の開き角を有して前記底面部に連結され、
前記紙箱が前記受容空間に挿入されたとき、前記左側面部と前記右側面部と前記底面部の弾性力により、前記左側面部及び前記右側面部の前記平坦面が、前記幅方向において、前記紙箱の圧縮長さが９６％以上９９％以下となるような応力を前記紙箱に付与することを特徴とするディスペンサー。
【請求項２】
前記紙箱が前記受容空間に挿入されたとき、前記左側面部と前記底面部との連結部、前記右側面部と前記底面部との連結部及び各々の該連結部の近傍のうち少なくとも一つが弾性変形して前記弾性力の少なくとも一部を生成することを特徴とする請求項１に記載のディスペンサー。
【請求項３】
さらに、前側面部と、
後側面部と、を備え、
前記前側面部の下端と前記後側面部の下端は、前記底面部と連結し、
前記後側面部が、固着部を有することを特徴とする請求項１又は２に記載のディスペンサー。
【請求項４】
熱可塑性樹脂からなる群から選ばれる少なくとも一種以上の樹脂で構成されることを特徴とする請求項１から３のいずれか１項に記載のディスペンサー。
【請求項５】
内容物を収納する紙箱と、
請求項１から４のいずれか１項に記載のディスペンサーと、を備える複合構造物であって、
前記紙箱が前記内容物の取出し口を備える頂面部と、前記頂面部に対向する底面部と、前記頂面部と前記底面部を連結する側面部とを備える六面体の形状を有し、
０．３４ｍｍ以上０．５２ｍｍ以下の紙厚を有することを特徴とする複合構造物。
【発明の詳細な説明】
【技術分野】
【０００１】
本発明は、紙箱を受容するディスペンサーに関する。
【背景技術】
【０００２】
一般に、ティシュペーパー、ペーパータオル、ワイパー等のいわゆる衛生薄葉紙や、ビニール袋、腕カバー、靴カバー、使い捨て手袋、使い捨てエプロン、マスク、ヘアキャップ等の比較的薄い素材でできた製品は、一般的に、カートン箱とも呼ばれる六面体（直方体又は立方体）形状の紙箱の内部空間に重層して収納され、この紙箱の天面部に形成した取出し口から、衛生薄葉紙等の内容物を１枚あるいは１組ずつ、順に引き出していく保管方法をとっている。
【０００３】
この様な紙箱は、テーブルや作業台上にそのままの状態で、あるいは紙箱の天面部側から覆うカバーや紙箱の底面部側から覆うディスペンサーに受容させた状態で据え置きして使用することが通常である。一方、使用したい場所に適当なスペースがない場合、冷蔵庫や壁面等の被固着体に固定させることが行われている。その場合、磁石や吸盤等の固着部を備えたディスペンサーを紙箱に受容させ、磁力等を利用して被固着体にあてがい、紙箱を固定することとなる。
【０００４】
例えば、特許文献１には、表面に設けた凹部へ板状の磁石を配設した略薄板状の本体に、その長手方向における両側の端部へ向かって傾斜状に形成された二つの第１の係止部と、上記長手方向の中間部に下方へ突出させて形成する第２の係止部とを設けたボックス用ホルダが開示されている。
【０００５】
また、特許文献２には、紙箱の側面に沿うガイド片に、紙箱の側面に形成された切り込みの内側上部に挿入可能に突出させて形成した爪部を設けた紙箱取付部と、上記紙箱取付部のガイド片に対して直交する方向に設けた器材取付部からなる紙箱用ホルダが開示されている。
【先行技術文献】
【特許文献】
【０００６】
【特許文献１】特開２００３−０２６１８０号公報
【特許文献２】特開２００４−１４８０１６号公報
【０００７】
しかしながら、紙箱は、内容物を紙箱から引き出すときに、紙箱に働く力が偏って、台に置いてあった場合には、ディスペンサーから紙箱が抜けてしまうこと、固着部で固定していた場合には、その固定が外れて被固着体から落下することがあった。また、紙箱内へ穴をあけて使用するディスペンサーは、紙箱内へゴミが混入する可能性があり、内容物を衛生的に保つことが難しかった。さらに、紙箱の両端部を固定するディスペンサーは、固定するために２つのパーツを使用しており、コスト高に繋がると同時に、その片方の紛失が発生し、使用不能になることが頻繁に起きていた。そして、これら従来の構成を有するディスペンサーは、紙箱を固定するための工程が多く、紙箱を交換する際の作業性がよくなかった。
【発明の概要】
【発明が解決しようとする課題】
【０００８】
本発明は、上述の問題に鑑み、単純な構成ながら紙箱をしっかりと固定し、かつ紙箱を交換しやすい、紙箱を受容するディスペンサーを提供することを目的とする。
【課題を解決するための手段】
【０００９】
（１）本願発明に係る１つの態様は、紙箱を受容するディスペンサーであって、右側面部と、左側面部と、上記右側面部の下端と上記左側面部の下端とを連結する底面部と、を備え、上記紙箱が上記右側面部と上記左側面部と上記底面部とから形成された受容空間に挿入されたとき、上記右側面部及び上記左側面部が、上記右側面部と上記左側面部とに挟まれた幅方向において、上記紙箱の圧縮長さが９６％以上９９％以下となるような応力を前記紙箱に付与することを特徴とする。
（２）（１）に記載のディスペンサーは、上記左側面部及び上記右側面部が、上記底面部に対し、９０度以上９４度以下の開き角を有してもよい。
（３）（１）または（２）に記載のディスペンサーであって、さらに、前側面部と、後側面部と、を備え、上記前側面部の下端と上記後側面部の下端は、上記底面部と連結し、上記後側面部が、固着部を有してもよい。
（４）（１）から（３）のいずれか１項に記載のディスペンサーが熱可塑性樹脂からなる群から選ばれる少なくとも一種以上の樹脂で構成されてもよい。
（５）内容物を収納する紙箱と、（１）から（４）のいずれか１項に記載のディスペンサーと、を備える複合構造物であって、上記紙箱が上記内容物の取出し口を備える天面部と、上記天面部に対向する底面部と、上記天面部と上記底面部を連結する側面部とを備える六面体の形状を有し、０．３４ｍｍ以上０．５２ｍｍ以下の紙厚を有することを特徴とする。
【発明の効果】
【００１０】
本発明によれば、単純な構成ながら紙箱をしっかりと固定し、かつ紙箱を交換しやすい、紙箱を受容するディスペンサーを提供することができる。
【図面の簡単な説明】
【００１１】
【図１】（ａ）は、本発明の第１の実施形態にかかるディスペンサーの斜視図である。（ｂ）は、紙箱と、紙箱を受容するディスペンサーとの複合構造物を示す斜視図である。
【図２】紙箱の幅方向の圧縮長さと圧縮に要する力との関係を示す応力歪線図である。
【図３】紙箱と本発明の第２の実施形態にかかるディスペンサーの正面図である。
【図４】（ａ）は、本発明の第３の実施形態にかかるディスペンサーの斜視図である。（ｂ）は、紙箱と、図４（ａ）の紙箱を受容するディスペンサーとの複合構造物を示す斜視図である。
【図５】本発明の第４の実施形態にかかるディスペンサーの斜視図である。
【図６】（ａ）は、紙箱と、本発明の第５の実施形態にかかるディスペンサーの斜視図である。（ｂ）は、紙箱と、図６（ａ）の紙箱を受容するディスペンサーとの複合構造物を示す斜視図である。
【発明を実施するための形態】
【００１２】
図１から図６を参照して、本発明を実施するための形態（以下、「実施形態」という）を詳細に説明する。なお、実施形態の説明は、全体を通して同じ要素には同じ番号を付している。
【００１３】
本実施形態の一例として、薄葉紙２０を収納した紙箱１０を受容するディスペンサー１について説明する。図１（ａ）は、本発明の第１の実施形態にかかるディスペンサーの斜視図であり、図１（ｂ）は、紙箱１０と、紙箱１０を受容するディスペンサー１との複合構造物３０を示す斜視図である。図１（ａ）に示すように、本発明のディスペンサー１は、右側面部２ｂと、左側面部２ａと、右側面部２ｂの下端と左側面部２ａの下端とを連結する底面部３と、を備えており、右側面部２ｂと左側面部２ａと底面部３とから紙箱１０を受容する受容空間４を形成している。また、図１（ｂ）に示すように、紙箱１０は、受容空間４に挿入し、ディスペンサー１に固定される。紙箱１０は、薄葉紙２０等の内容物を内包し、内容物を１枚あるいは１組ずつ、順に引き出していく取出し口１４と、を備えている。
【００１４】
ディスペンサー１の右側面部２ｂと左側面部２ａが、右側面部２ｂと左側面部２ａとに挟まれた幅方向において、紙箱１０の圧縮長さが９６％以上９９％以下となるような応力を紙箱１０に付与する。ここで、「紙箱１０の圧縮長さが９６％以上９９％以下となるような応力」とは、紙箱１０の圧縮長さが９６％以上９９％以下となるまで幅方向に押圧したときの復元力（ｇｆ）をいう。この応力の測定方法について、説明する。まず、上記のような構成のディスペンサー１に対して、右側面部２ｂと左側面部２ａを外側に広げようと力を付与すると、底面部３も外側に引っ張られ、両側面部２ａ、２ｂと底面部３とがなすコーナー付近等に応力（復元力）が発生する。一方、紙箱１０の側面部１３の左右一対に対して、圧縮しようと負荷をかけると、一定の力までは、紙箱１０の圧縮方向の長さ（圧縮長さ）が短くなることにより対応できるが、ある点を過ぎると、紙箱１０は座屈してしまう。
【００１５】
ディスペンサー１の右側面部２ｂと左側面部２ａを広げようと力を付与すると、両側面部２ａ、２ｂと底面部３とがなすコーナー付近に応力（復元力）が発生することに関して、ディスペンサー１の幅方向（左側面部２ａと右側面部２ｂ）の応力強度試験を実施した。まず、幅１３２ｍｍ、奥行１０４ｍｍ、高さ２０ｍｍのディスペンサーＡ（ポリプロピレン製）を試験装置（株式会社エー・アンド・デイ社製  テンシロンＲＴＦ−１２５０）に固定して、ディスペンサーＡの左側面部２ａと右側面部２ｂの底部を広げるように力を加えて、ディスペンサーＡの底面部３における幅方向の長さを１％広げたとき、すなわち、底面部３の幅方向の長さが１３２×１．０１＝１３３．３２ｍｍとしたときの応力（復元力）を、圧力センサー（株式会社エー・アンド・デイ社製  テンシロンＲＴＦ−１２５０）により計３回測定し、その平均値を求めたところ、９．５ｋｇｆであった。同様に、ディスペンサーＡの底面部３における幅方向の長さを２％広げたときの応力（復元力）を計３回測定し、その平均値を求めた。また、表１に示す構成のディスペンサーＢ〜Ｄも、ディスペンサーＡと同様に応力（復元力）を測定した。なお、ディスペンサーＡ、Ｃ、Ｄがポリプロピレン、ディスペンサーＢがポリスチレンをそれぞれ基材とするものである。結果を表１に示す。
【００１６】
【表１】
0006623405.tif 000002
【００１７】
次に、紙箱１０の幅方向の圧縮強度試験を実施した。まず、幅１３３ｍｍ、奥行５４ｍｍ、高さ１２２ｍｍの紙箱Ａ（コートボール紙製）を試験装置（株式会社島津製作所  ＡＧ−２０ＫＮＸ）に上下方向に固定して、紙箱Ａの右側面部及び左側面部から圧縮荷重を加えて、紙箱Ａの幅方向の圧縮量が０．５％、すなわち、圧縮長さが９９．５％（１３３×０．９９５≒１３２．３ｍｍ）となるような圧縮応力を圧力センサーにより計３回測定し、その平均値を求めたところ、２．５ｋｇｆであった。同様に、紙箱Ａの幅方向の圧縮長さが９９．０％、９８.０％、９６．０％及び９５．０％となるような圧縮応力を計３回測定し、その平均値を求めた。また、表２に示す構成の紙箱Ｂ〜Ｅも、紙箱Ａと同様に圧縮応力を測定した。なお、紙箱Ａ〜Ｅは、薄葉紙２０を収納した紙箱１０の市販品を使用した。結果を表２に示す。
【００１８】
【表２】
0006623405.tif 000003
【００１９】
図２は、紙箱Ａの幅方向の圧縮長さと圧縮に要する力との関係を示す応力歪線図である。表２及び図２に示すように、圧縮長さが９９．５％から９６．０％までは、幅方向の圧縮長さと圧縮に要する力との関係は、比例関係を保っていた（線形近似；ｙ＝４．８４３５ｘ＋０．２４３５，Ｒ２＝０．９９１）が、幅方向の圧縮長さが９５．０％に達すると、座屈していた。また、紙箱Ａと同様に、紙箱Ｂ〜紙箱Ｅの幅方向の圧縮長さと圧縮に要する力との関係は、圧縮量が増加し、圧縮長さが９９．５％から９６.０％になるまでは、いずれも比例関係を保っていたが、幅方向の圧縮長さが９５．０％に達すると、全ての紙箱が座屈していた。
【００２０】
さらに、参考として、紙箱１０の圧縮強度試験と同様の試験を樹脂箱に対して行った。樹脂箱Ａがポリプロピレン、樹脂箱Ｂがポリアミド、樹脂箱Ｃが硬質塩化ビニル、樹脂箱Ｄがポリカーボネート、樹脂箱Ｅがポリアセタールをそれぞれ基材とするものである。樹脂箱Ａ〜Ｅの幅方向の圧縮長さが９９．０％、すなわち、１３３×０．９９０＝１２８．７ｍｍとなるような圧縮応力を計３回測定し、その平均値を求めた。結果を表３に示す。
【００２１】
【表３】
0006623405.tif 000004
【００２２】
表１から表３の結果を基に説明する。例えば、ディスペンサーＡの底面部３の幅方向の長さを１０１％、すなわち１３３．３２ｍｍに広げるよう、左右側面部２ａ、２ｂの底部を外側方向に引っ張ると、９．５ｋｇｆの応力が働く。幅１３３ｍｍの紙箱ＡをディスペンサーＡの受容空間４に挿入しようとすると、紙箱Ａは、ディスペンサーＡの左側面部２ａと右側面部２ｂとに挟まれた幅方向において、この９．５ｋｇｆの力が働き、紙箱Ａの圧縮量は、（９．５−０．２４３５）／４．８４３５≒１．９１％となる。したがって、ディスペンサーＡの右側面部２ｂ及び左側面部２ａが、右側面部２ｂと左側面部２ａとに挟まれた幅方向において、紙箱Ａの圧縮長さが９８．０９％となるような応力を紙箱に付与することとなる。
【００２３】
このように、ディスペンサー１は、紙箱１０が右側面部２ｂと左側面部２ａと底面部３とから形成された受容空間４に挿入されたとき、右側面部２ｂ及び左側面部２ａが、右側面部２ｂと左側面部２ａとに挟まれた幅方向において、紙箱１０の圧縮長さが９６％以上９９％以下となるような応力を紙箱１０に付与することで、紙箱１０の右側面部２ｂと左側面部２ａとの対応面は、つぶれる形でディスペンサー１沿う形でしっかりとはまり、摩擦力が生じるため、抜けにくくなる。また、ディスペンサー１は、両側面部２ａ、２ｂと底面部３という３面構成であるので、紙箱１０をディスペンサー１から外すときには、前後方向に紙箱１０を押し出すことができ、容易である。また、紙箱１０の圧縮長さが９６％未満となるような応力であると、紙箱１０が座屈して使用不可能となり、９９％を超えると、固定が不十分となる。
【００２４】
他方、樹脂箱Ａの幅方向の圧縮長さを９９．０％とするときに必要な圧縮応力は、３３３ｋｇｆであり、樹脂箱Ａは、右側面部２ｂと左側面部２ａとに挟まれた幅方向において、樹脂箱Ａは圧縮されず、ディスペンサーＡの受容空間４に挿入しても、しっかりとした固定ができないことが分かった。
【００２５】
図３は、紙箱１０と本発明の第２の実施形態にかかるディスペンサー１の正面図である。図３に示すように、上記構成を有するディスペンサー１は、さらに、右側面部２ｂ及び左側面部２ａが、底面部３に対し、９０度以上９４度以下の開き角θを有してもよい。開き角θが９０度未満では、右側面部２ｂ及び左側面部２ａが、下方にいくほど広がった逆テーパー状となり、紙箱１０をディスペンサー１から離脱させるときに、少なくともどちらか一方が破損する可能性がある。また、開き角θが９４度を超えると、ディスペンサー１が座屈する可能性が高まる。さらに、各側面部２ａ、２ｂは、開き角θを９１度以上９３度以下とすることで、紙箱１０を受容する際に、底面部３付近ではディスペンサー１が広がりにくくなり、応力が高まるので、紙箱１０を圧縮する力が強まり、フィット性が向上する。
【００２６】
図４（ａ）は、本発明の第３の実施形態にかかるディスペンサーの斜視図であり、図４（ｂ）は、紙箱と、図４（ａ）の紙箱を受容するディスペンサーとの複合構造物３０を示す斜視図である。図４（ａ）に示すように、ディスペンサー１は、さらに、前側面部２ｃと、後側面部２ｄと、を備え、前側面部２ｃの下端と後側面部２ｄの下端は、底面部３と連結した構成であってもよい。前側面部２ｃより、後側面部２ｄの高さを高くし、左右の側面部２ａ、２ｂは、上端が後側面部２ｄの上端から連続する下り傾斜部を形成することで、紙箱１０が抜けにくくなり、ディスペンサー１が安定する。また、前側面部２ｃと後側面部２ｄは、紙箱１０がディスペンサー１の受容空間４に挿入されたとき、紙箱１０に応力を付与しない状態で平面状に形成されていてもよい。この構成によれば、本構成を有しない場合に比して、紙箱１０をディスペンサー１から外す際に、抜き出しやすくなる。さらに、側面部２ａ〜２ｄの外表面には、意匠性を高めるデザインや、宣伝用の広告等を印刷してもよい。
【００２７】
図４に示すように、後側面部２ｄは、ディスペンサー１を壁紙等の被固着体に固定させるために、固着部５を有してもよい。固着部５の手段としては、釘や画鋲等を通すための取付け孔の他、例えば、両面粘着テープ、接着剤、粘着剤、接着テープ、メカニカルファスナー、磁石、吸盤等をあげることができる。
【００２８】
ディスペンサー１の基材としては、可撓性を有すものであれば特に限定はなく、例えば、アクリル樹脂、ＡＢＳ樹脂、ポリプロピレン、ポリスチレン、ポリエチレン及びポリカーボネードからなる群から選ばれる少なくとも一種以上の樹脂があげられる。アクリル樹脂は、透明性も高く、熱加工も容易で、優れた耐衝撃性を示し、さらに耐候性が高い。ＡＢＳ樹脂は、剛性、硬度、加工性、耐衝撃性、曲げ疲労性等のバランスに優れる。ポリエチレン及びポリプロピレンは、他の樹脂に比べ比重が軽いが、強度は高い。ポリカーカーボネートは、透明性・耐衝撃性・耐熱性・難燃性等において、高い物性を示す。これらのなかでも、ＡＢＳ樹脂及びポリスチレンが好ましい。図５は、本発明の第４の実施形態にかかるディスペンサー１の斜視図である。図５に示すように、ディスペンサー１は、その底面部３の各辺中央にスリット３ａを備えてもよい。この構成によれば、本構成を有しない場合に比して、底面部３の柔軟性が向上し、かつ紙箱１を受容する際に空気が抜けやすくなるため、弱い力で紙箱１０をディスペンサー１に挿入することができる。
【００２９】
図６（ａ）は、紙箱１０と、本発明の第５の実施形態にかかるディスペンサー１の斜視図であり、図６（ｂ）は、紙箱１０と、図６（ａ）の紙箱１０を受容するディスペンサー１との複合構造物３０を示す斜視図である。図６（ａ）及び（ｂ）に示すように、フィット性を向上させるために、ディスペンサー１の固着部５を茸形状に形成してもよい。この場合、紙箱１０の底面部１３には、この茸形状の固着部５を嵌めこむことができる押込み部１５を形成することとなる。押込み部１５の開口部分の形状としては、固定部５に係合できるものであれば特に限定はないが、例えば、円形、楕円形、ｎ角形（ｎは３以上の整数）があげられる。なかでも、固着部５との脱離を効果的に防止する観点から、ｎ角形の形状とすることが好ましい。さらに、押込みをする際の指等の引っ掛かり防止の観点から、ｎ角形の角部を丸めてもよい。
【００３０】
ディスペンサー１の製造方法は、公知の方法を採用することができ、例えば、１枚の樹脂板から打ち抜き加工により成形する方法、複数の単位樹脂部材によって構成され、接着剤により互いを固定させ、ディスペンサー１の形状に組立てる方法や、金型成形による方法があげられる。なかでも、安価でシャープな形状の樹脂成形体が得られる観点から、（ｉ）雄型と雌型とで構成される樹脂用金型を用いて射出成形する工程、（ｉｉ）射出した材料を金型内で冷却・固化する工程、（ｉｉｉ）雄型と雌型とを剥離して金型を開き、成型品を排出する工程、（ｉｖ）抜き型内に成形品を供給して、抜き加工する工程を経て製造することが好ましい。
【００３１】
ディスペンサー１の幅が１０ｃｍ以上６５ｃｍ以下、高さが５ｃｍ以上３０ｃｍ以下、奥行が８ｃｍ以上２０ｃｍ以下とすることができる。この範囲内にあることで、一般的な、内容物を収納した紙箱１０に対応することができる。
【００３２】
次に、ディスペンサー１の受容空間４に収納される、内容物を収納する紙箱１０の一実施形態を示す。
【００３３】
上記したように、紙箱１０は、天面部１１と、天面部１１に対向する底面部１２と、天面部１１と底面部１２を連結する側面部１３とを備える六面体の形状を有し、天面部１２には薄葉紙２０を１枚あるいは１組ずつ、順に引き出していく取出し口１４と、を備えている。
【００３４】
取出し口１４とディスペンサー１の位置関係は、図１（ｂ）に示すように、ディスペンサー１の底面部３と対抗する方向であってもよく、また、図４（ｂ）に示すように、ディスペンサー１の前側面部と同じ方向であってもよい。また、紙箱１０の形状が直方体である場合、左側面部２ａと右側面部２ｂに挟み込まれる部位は、抜き出し易さの観点から、面積が小さい側面部であることが好ましい。
【００３５】
薄葉紙２０は、ティシュペーパー、ワイパー、ペーパータオル、キッチンタオル、キッチンシート、灰汁取りシート、トイレットペーパー等をあげることができるが、これらに限定されるものではない。また、紙箱１０に収納される内容物は、薄葉紙２０に限らず、ビニール袋、腕カバー、靴カバー、使い捨て手袋、使い捨てエプロン、マスク、ヘアキャップをあげることができる。
【００３６】
紙箱１０を構成する基材としては、特に制限はなく、例えば、木材パルプ、古紙、段ボール紙、コートボール紙を使用することができる。なかでも、強度の観点から、コートボール紙が好ましい。また、耐水性や耐油性を向上させるために、基材の表面にポリアクリルアミド、ポリビニルアルコール、デンプン等の紙力増強剤を塗布すること、さらに、紙箱１０の強度を向上させるために、基材の表面に顔料やワニスを塗布すること及び蒸着フィルムを貼付することも好ましい。
【００３７】
紙箱１０の基材の坪量は、ＪＩＳ  Ｐ８１２４に準じて測定され、３００ｇ／ｍ２以上３８０ｇ／ｍ２以下、好適には、３３０ｇ／ｍ２以上３５０ｇ／ｍ２以下である。基材の坪量が、３００ｇ／ｍ２未満であると、強度低下による変形が生じやすくなり、一方、３８０ｇ／ｍ２を超えると、基材である平面紙から立体形状にして六面体の紙箱１０へと形成する際に、加工性が低下する。
【００３８】
紙箱１０の基材の紙厚は、ＪＩＳ  Ｐ８１１８に準じて測定され、０．４ｍｍ以上０．８ｍｍ以下であることが好ましい。紙厚が０．４ｍｍ未満であったり、逆に０．８ｍｍを超えたりすると、紙箱１０への加工性がいずれも低下する。
【００３９】
薄葉紙２０等の内容物を収納した紙箱１０の製造方法としては、当該技術分野で公知の技術を使用することができる。
【００４０】
以上、実施形態を用いて本発明を説明したが、本発明の技術的範囲は上記の実施形態に記載の範囲には限定されないことは言うまでもない。上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。
【符号の説明】
【００４１】
１  ディスペンサー
２ａ  左側面部
２ｂ  右側面部
２ｃ  前側面部
２ｄ  後側面部
３  底面部
４  受容空間
５  固着部
１０  紙箱
１４  取出し口
２０  薄葉紙
３０  複合構造物
【図１】
0006623405.tif 000005
【図２】
0006623405.tif 000006
【図３】
0006623405.tif 000007
【図４】
0006623405.tif 000008
【図５】
0006623405.tif 000009
【図６】
0006623405.tif 000010